(57)【特許請求の範囲】
【請求項１】
合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールと、同粘着テープロールを上記巻芯内に着脱自在に挿通される円筒状支持ローラを介して回転可能に保持するアーム部材と備え、上記アーム部材には電気掃除機の吸引パイプに対する取付手段が設けられている清掃用具において、
上記取付手段が閉方向にバネ付勢された開閉可能なクランプであり、上記クランプがコイルバネからなる弾性変形可能な中継ぎアームを介して上記アーム部材に連結されていることを特徴とする清掃用具。
【請求項２】
合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールと、同粘着テープロールを上記巻芯内に着脱自在に挿通される円筒状支持ローラを介して回転可能に保持するアーム部材と備え、上記アーム部材の先端部が電気掃除機の吸引ノズル側に設けられている差込穴に対してほぼ水平状態として着脱自在に嵌合保持される清掃用具において、
上記アーム部材の上記先端部を除く所定部分には、上記粘着テープロールがその最小巻径時において被清掃面に若干の押圧力で接触するような上向きの角度θが付けられていることを特徴とする清掃用具。
【請求項３】
合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールを備えてなる清掃用具において、
上記粘着テープロールが電気掃除機の吸引パイプに着脱自在に連結可能とされたハウジング内に回転可能に保持されていることを特徴とする清掃用具。
【発明の詳細な説明】
【０００１】
【発明の属する技術分野】
本発明は粘着テープロールを有する清掃用具（粘着テープクリーナー）に関し、さらに詳しく言えば、電気掃除機に取り付けられてそれとともに用いられるようにした清掃用具に関するものである。
【０００２】
【従来の技術】
粘着テープクリーナーは、包装用などに用いられるガムテープなどの粘着テープを丁度逆様に巻回したものからなり、その典型例が図６に例示されている。そなわち、合成樹脂もしくは紙製のテープ状基材２の一方の面に粘着剤３を塗布し、他方の面に例えばシリコンなどの離型剤４を塗布してなる粘着テープ１を円筒状の巻芯５にその粘着剤３の塗布面を外側にして巻回した粘着テープロール６を備えている。
【０００３】
この粘着テープロール６は、被清掃面である例えばカーペット上に転がらせて使用されるのであるが、実際に使用するにあたっては、その操作性を考慮して保持部材としてのアーム部材７が用いられる。この例に即して説明すると、アーム部材７は例えば立ち姿勢で操作できる長さの支柱からなり、その上端側にグリップ７ａを有するとともに、下端側には被清掃面と平行とされた支持軸７ｂを備え、この支持軸７ｂには粘着テープロール６の巻芯５内に着脱自在に挿通される円筒状支持ローラ８が回転可能に装着されている。
【０００４】
粘着テープロール６は、このアーム部材７を介して被清掃面である例えばカーペット上を転動され、粘着剤３の粘着力により例えば髪の毛などの細かいゴミを捕獲し、その粘着剤３の粘着力が衰えると、図示しない切れ目線に沿って一周分を巻き剥がし、新たな粘着剤３を表面に露出して使用される。
【０００５】
【発明が解決しようとする課題】
この粘着テープクリーナーによれば、その粘着剤３と接触する被清掃面の表面にある髪の毛などはきわめて綺麗に取り去ることができるが、例えばカーペットなどの場合には、その奥深く入り込んだチリやゴミにまでは粘着力が行き届かないため、置き去りにされる。
【０００６】
したがって、そのようなチリやゴミは依然として電気掃除機の吸引に頼ることになるが、電気掃除機による清掃が先か、この粘着クリーナーによる清掃が先かは別として、いずれにしても清掃を完全にするには、電気掃除機と粘着クリーナーによる清掃とを２度行なわなければならず、二重に手間がかかり面倒であった。
【０００７】
本発明は、このような従来の問題を解決するためになされたもので、その目的は、例えば電気掃除機（もしくは粘着クリーナー）をかけながら、粘着クリーナー（もしくは電気掃除機）による清掃をも併せて行なうことができるようにした清掃用具を提供することにある。
【０００８】
【課題を解決するための手段】
上記目的を達成するため、請求項１に記載の発明は、合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールと、同粘着テープロールを上記巻芯内に着脱自在に挿通される円筒状支持ローラを介して回転可能に保持するアーム部材と備え、上記アーム部材には電気掃除機の吸引パイプに対する取付手段が設けられている清掃用具において、上記取付手段が閉方向にバネ付勢された開閉可能なクランプであり、上記クランプがコイルバネからなる弾性変形可能な中継ぎアームを介して上記アーム部材に連結されていることを特徴としている。
【０００９】
これによれば、粘着テープロールをきわめて簡単な操作で、電気掃除機の吸引パイプに着脱することができるとともに、電気掃除機の吸引パイプを操作する際、その角度に応じて中継ぎアームが撓むため、電気掃除機の吸引パイプをある角度範囲内で使用するかぎり、粘着テープロールが被清掃面上に適当な圧力で押し付けられ、被清掃面からの浮き上がりが防止される。
【００１０】
請求項２に記載の発明は、合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールと、同粘着テープロールを上記巻芯内に着脱自在に挿通される円筒状支持ローラを介して回転可能に保持するアーム部材と備え、上記アーム部材の先端部が電気掃除機の吸引ノズル側に設けられている差込穴に対してほぼ水平状態として着脱自在に嵌合保持される清掃用具において、上記アーム部材の上記先端部を除く所定部分には、上記粘着テープロールがその最小巻径時において被清掃面に若干の押圧力で接触するような上向きの角度θが付けられていることを特徴としている。
【００１１】
これによれば、粘着テープロールは吸引ノズルに引き摺られるようにして被清掃面上を転動することになる。
【００１２】
また、請求項３に記載の発明は、合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールを備えてなる清掃用具において、上記粘着テープロールが電気掃除機の吸引パイプに着脱自在に連結可能とされたハウジング内に回転可能に保持されていることを特徴としている。
【００１３】
これによれば、電気掃除機の吸引パイプから吸引ノズルを外して、吸引パイプにハウジングを取り付けることにより、電気掃除機を粘着クリーナーとして使用することができる。その場合、電気掃除機を起動してそのハウジングを吸引ノズルとして使用してもよい。
【００１４】
【発明の実施の形態】
次に、本発明の技術的思想をよりよく理解するうえで、その実施の形態について説明する。なお、先に説明した粘着テープロール６およびその巻芯５に着脱自在に挿通される円筒状支持ローラ８については、この実施例でもそれと同じものが使用されている。
【００１５】
図１の第１実施例において、粘着テープロール６はその巻芯５に着脱自在に挿通される円筒状支持ローラ８を介してアーム部材１０により回転可能に保持されるが、この場合、アーム部材１０は先に図６で説明したアーム部材７よりも短く形成され、その先端には電気掃除機の吸引パイプ１１に対して取り付けるための取付手段１２が設けられている。
【００１６】
すなわち、アーム部材１０は金属製の円柱ロッドからなり、円筒状支持ローラ８内に挿通され、その回転軸となる支持軸１０１と、同支持軸１０１の一端からほぼ直角に折り曲げられ、少なくとも粘着テープロール６の最大巻径時の１／２以上の長さ寸法とされた第１折曲げ部１０２と、同第１折曲げ部１０２の端部から支持軸１０１とほぼ平行で、かつ同方向に折曲げられた第２折曲げ部１０３とを備えている。
【００１７】
第２折曲げ部１０３は支持軸１０１の約半分の長さとされ、その端部には中継ぎアーム１０４を介して吸引パイプ１１に対する取付手段１２が設けられている。この場合、中継ぎアーム１０４は所定長さのコイルバネからなり、その軸線が支持軸１０１に対してほぼ直交し、かつ外側（同支持軸１０１から離れる方向）に向かって延びるように配向されている。
【００１８】
なお、第２折曲げ部１０３と中継ぎアーム（コイルバネ）１０４との連結部分は詳しく図示されていないが、この実施例では第２折曲げ部１０３の端部をほぼ直角に折曲げて連結軸とし、その連結軸にコイルバネ１０４の一端を嵌合して接着剤にて両者を固定した構造としている。
【００１９】
次に、取付手段１２であるが、本発明では常に閉方向にバネ付勢された開閉可能なクランプ１３が用いられている。すなわち、このクランプ１３は蝶番軸１３１にて開閉自在に連結された一対の把持片１３２，１３２を備えている。なお、図示されていないが、蝶番軸１３１には把持片１３２，１３２を閉方向に付勢するバネ部材が設けられている。
【００２０】
このクランプ１３は中継ぎアームとしてコイルバネ１０４の端部に取り付け保持されるが、この実施例では一方の把持片１３２の外側のほぼ中央にボス（図示省略）を形成し、そのボスにコイルバネ１０４の端部を嵌合して例えば接着剤にて固定するようにしている。
【００２１】
これによると、そのクランプ１３を介して粘着テープロール６を電気掃除機の吸引パイプ１１の所定部位に着脱自在に取り付けることができる。その取付け部位は、吸引ノズル１４を被清掃面に置いて実際に清掃する場合、その吸引パイプ１１の傾斜角度やアーム部材１０の長さなどを勘案して粘着テープロール６が被清掃面上に接触する位置とされる。
【００２２】
その場合、この実施例では中継ぎアーム１０４が変形可能で、吸引パイプの傾斜角度の変化をある程度吸収するため、さほどの厳密さは要求されないが、若干吸引ノズル１４側に位置させるとよい。これによれば、粘着テープローラ６が適度な弾性をもって被清掃面上に押し付けられ、吸引ノズル１４に追従して転動する。
【００２３】
したがって、電気掃除機では除去しきれない髪の毛などが粘着テープローラ６の粘着力にて捕獲され、従来のように電気掃除機による掃除後に再度粘着テープローラ６による清掃を行なう必要がなくなり、一度の掃除で済ませられる。粘着テープローラ６の粘着力が衰えた場合には、例えばクランプ１３１を外して粘着テープローラ６の表面に出ている粘着テープを一周分剥がした後、再度クランプ１３１を介して吸引パイプ１１に取付ければよい。
【００２４】
図２および図３には第２実施例が示されている。これによると、アーム部材１０はその第１折曲げ部１０２がまっすぐに延ばされているとともに、吸引ノズル１４側にはその第１折曲げ部１０２の先端が嵌合される連結穴１４１が穿設されている。
【００２５】
この場合、第１折曲げ部１０２と連結穴１４１とは多少の引っ張り力では抜けない程度の摩擦嵌合であることが構造を簡単にするうえで好ましく、これによれば、アーム部材１０の先端を吸引ノズル１４の連結穴１４１に差し込むだけで、吸引ノズル１４に対して粘着テープローラ６を取付けることができ、上記第１実施例と同様に粘着テープローラ６が吸引ノズル１４に追従して転動する。
【００２６】
このように、アーム部材１０を吸引ノズル１４に対して差し込み連結とする場合、吸引ノズル１４を被清掃面から浮き上がらせることなく、粘着テープローラ６がその最大巻径時から最小巻径時に至るまで、被清掃面と接触するようにする必要がある。
【００２７】
それには、第１折曲げ部１０２をある程度の長さとして、そのしなりを利用するのがもっとも簡単であるが、図３に示されているように、第１折曲げ部１０２の所定部分に粘着テープローラ６がその最小巻径時において被清掃面に対し若干の押圧力で接触するようなオフセット的な上向き角度θを持たせることが好ましく、これによれば第１折曲げ部１０２の長さをより短くできるとともに、最大巻径状態の粘着テープローラ６に対してもその被清掃面への押圧力をより緩和することができる。
【００２８】
なお、この第２実施例では第１折曲げ部１０２をまっすぐに延ばしているが、上記第１実施例のように、第２折曲げ部１０３を形成し、その端部を吸引ノズル１４に連結するようにしてもよい。
【００２９】
図４は第３実施例の外観斜視図であり、図５にはその断面図が示されている。この実施例によると、粘着テープロール６は電気掃除機の吸引パイプ１１に対して着脱可能に連結されるハウジング２０内に収納保持されている。
【００３０】
この実施例において、ハウジング２０は下面が開放され、外観的には吸引ノズル１４を模して形成されたハウジング本体２１を備え、同ハウジング本体２１の上面ほぼ中央部には、吸引パイプ１１に対する連結手段としての差込みパイプ２２がある角度範囲内において俯仰自在に設けられている。
【００３１】
ハウジング本体２１は、その内部に粘着テープロール６を収納し得る大きさの空間を有し、その内部側の両側壁には粘着テープロール６の巻芯５内に突出して同粘着テープロール６を回転可能に保持するボス軸２１１，２１２が設けられている。
【００３２】
この場合、各ボス軸２１１，２１２は粘着テープロール６の巻芯５よりも小径に形成されており、したがって粘着テープロール６はその径の差分だけ上下動が許容されている。すなわち、粘着テープロール６はその使用にしたがって一周分ずつ剥がされ、最大巻径から最小巻径へとその径が縮小するが、最小巻径時となっても被清掃面に接触できるように、その巻芯５に対して各ボス軸２１１，２１２の径が相対的に決められている。
【００３３】
この実施例では、図５に示されているように、一方のボス軸２１２はハウジング本体２１の側壁を貫通し、その外側端には摘み２３が設けられている。すなわち、ボス軸２１２は摘み２３によって矢印Ａにて示すように、ハウジング本体２１内に出没可能とされ、これにより粘着テープロール６を適宜交換できるようになっている。
【００３４】
この第３実施例によると、例えば電気掃除機による掃除後、その吸引ノズル１４に代えて吸引パイプ１１に粘着テープロール６を有するハウジング本体２１をその差込みパイプ２２を介して交換することにより、電気掃除機でありながら粘着クリーナーとして使用することができる。
【００３５】
この場合、ハウジング２０は吸引ノズル１４と同じように形成されているため、粘着テープローラ６による清掃を行ないながら、電気掃除機を起動させて粘着テープローラ６による清掃と電気掃除機による掃除を併せて行なうことも可能である。
【００３６】
【発明の効果】
以上説明したように、請求項１に記載の発明によれば、合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールと、同粘着テープロールを上記巻芯内に着脱自在に挿通される円筒状支持ローラを介して回転可能に保持するアーム部材と備えてなる清掃用具において、上記アーム部材に電気掃除機の吸引パイプに対する取付手段を設けたことにより、粘着テープロールがそのアーム部材および取付手段を介して電気掃除機の吸引パイプに取り付けられ、粘着テープロールは電気掃除機による清掃に伴なって被清掃面上を転動することになる。したがって、その主従は別として、電気掃除機による掃除を行ないながら、同時に粘着テープロールによる清掃を行なうことが可能となる。また、上記取付手段を閉方向にバネ付勢された開閉可能なクランプとしたことにより、粘着テープロールをきわめて簡単な操作で、電気掃除機の吸引パイプに着脱することができる。また、上記取付手段をコイルバネからなる弾性変形可能な中継ぎアームを介して上記アーム部材に連結されるようにしたことにより、その中継ぎアームにより電気掃除機の吸引パイプの操作角度に応じて中継ぎアームが撓むため、電気掃除機の吸引パイプをある角度範囲内で使用するかぎり、粘着テープロールを被清掃面上に適当な圧力で押し付け、被清掃面からの浮き上がりが防止される。
【００３７】
一方、合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールと、同粘着テープロールを上記巻芯内に着脱自在に挿通される円筒状支持ローラを介して回転可能に保持するアーム部材と備えてなる清掃用具において、上記アーム部材を介して電気掃除機の吸引ノズルに着脱自在に連結されるようにした請求項２の発明によると、上記アーム部材の先端部を上記吸引ノズルを側に設けられている差込穴に対して嵌合することにより、粘着テープロールを吸引ノズルに引き摺られるようにして被清掃面上を転動させることができ、請求項１と同様な効果が奏される。
【００３８】
また、合成樹脂もしくは紙製のテープ状基材の一方の面に粘着剤を塗布し、他方の面に離型剤を塗布してなる粘着テープを円筒状の巻芯にその粘着剤塗布面を外側にして巻回した粘着テープロールを備えてなる清掃用具において、上記粘着テープロールを電気掃除機の吸引パイプに着脱自在に連結可能としたハウジング内に回転可能に保持する請求項３の発明によると、電気掃除機の吸引パイプから吸引ノズルを外して、その代わりにハウジングを取り付けることにより、電気掃除機を例えばその掃除がけの後、粘着クリーナーとして使用することができる。
【図面の簡単な説明】
【図１】  本発明の第１実施例を示した斜視図。
【図２】  本発明の第２実施例を示した斜視図。
【図３】  第２実施例のアーム部材と吸引ノズルの接続構造を一部断面として示した側面図。
【図４】  本発明の第３実施例を示した外観斜視図。
【図５】  第３実施例の断面図。
【図６】  従来の粘着テープクリーナーの構成を説明するための分解斜視図。
【符号の説明】
１  粘着テープ
２  テープ状基材
３  粘着剤層
４  離型剤層
５  巻芯
６  粘着テープロール
１０  アーム部材
１１  吸引パイプ
１２  取付手段（クランプ）
１０４  中継ぎアーム（コイルバネ）
１４  吸引ノズル
２０  ハウジング
２１  ハウジング本体
２２  差込みパイプ
２１１，２１２  ボス軸
【図１】
0003667858.tif 000002
【図２】
0003667858.tif 000003
【図３】
0003667858.tif 000004
【図４】
0003667858.tif 000005
【図５】
0003667858.tif 000006
【図６】
0003667858.tif 000007